(57)【特許請求の範囲】
【請求項１】
幅方向に分断可能に形成される外シートと、シート状食品を介して外シートに重ねられ、外シートと同方向に分離可能な内シートとを備え、シート状食品を囲むように外シートと内シートとがシールされる長尺な米飯加工食品用包装材において、
外シートは、所定の部位にて分断されるべく、ハーフカットが長手方向に沿って形成され、さらに、ハーフカットの部位が中間部から端部に向けて分断されるべく、分断を開始する分断開始部が長手方向の中間部におけるハーフカットの部位から離間した位置に設けられることを特徴とする米飯加工食品用包装材。
【請求項２】
分断開始部は、ハーフカットの部位に至るまで外シートを分断可能にすべく、外シートに切り込まれて形成される請求項１に記載の米飯加工食品用包装材。
【請求項３】
外シートは、ハーフカットが幅方向に二つ並設され、分断開始部は、各ハーフカット間に配置され、各ハーフカットの部位に至るまで外シートを分断可能にすべく、外シートに切り込まれて形成される請求項１に記載の米飯加工食品用包装材。
【請求項４】
分断開始部を被覆するように外シートに貼着される被覆部材を備え、被覆部材が外シートから剥離されるのに伴い、外シートを分断開始部から分断するように構成される請求項２又は３に記載の米飯加工食品用包装材。
【請求項５】
分断開始部を被覆するように外シートに貼着される被覆部材を備え、被覆部材は、分断される外シートの各部位に跨って配置される請求項２〜４の何れか１項に記載の米飯加工食品用包装材。
【請求項６】
請求項１〜５の何れか１項に記載された米飯加工食品用包装材が米飯加工食品を挟むように内シートを内側にして長手方向に二つ折りされ、米飯加工食品を包装すべく、米飯加工食品を囲むようにシールされることを特徴とする米飯加工食品包装体。
【発明の詳細な説明】
【技術分野】
【０００１】
本発明は、例えば海苔や昆布といったシート状食品と、例えば三角おにぎりや丸形おにぎりといった米飯加工食品とを分離した状態で包装するための米飯加工食品用包装材、及び、米飯加工食品用包装材によって米飯加工食品を包装した米飯加工食品包装体に関する。
【背景技術】
【０００２】
従来、例えば海苔や昆布といったシート状食品と、例えば三角おにぎりや丸形おにぎりといった米飯加工食品とを分離した状態で包装するのに、幅方向に分離可能な内シートと、カットテープが長手方向に亘って設けられ、内シートと同方向に分割可能な外シートとを備える長尺な米飯加工食品用包装材が知られている（例えば、特許文献１）。
【０００３】
かかる米飯加工食品用包装材においては、カットテープで外シートを分割し、米飯加工食品用包装材をそれぞれ幅方向に引っ張ることにより、内シート及び外シートが幅方向に分離され、シート状食品に包まれた米飯加工食品を得ることができる。
【０００４】
かかるカットテープを備える外シートにおいては、カットテープの一方の端部を把持して引っ張ることにより、カットテープを含む部位が長手方向の全長に亘って分断することで幅方向に分割できる。しかしながら、カットテープを引っ張ると、分断される部位が徐々に広がって幅方向の端部に至ることがあり、長手方向の全長に亘って分断できない場合がある。
【０００５】
そこで、図８に示すように、長手方向の全長に亘って形成されるハーフカット１００を備え、所望の部位、即ち、ハーフカット１００の部位にて分断可能な外シート１０１からなる米飯加工食品用包装材１０２が提案されている。
【０００６】
かかる米飯加工食品用包装材１０２で米飯加工食品を包装した米飯加工食品包装体においては、矩形状の外シート１０１（米飯加工食品用包装材１０２）の隅部（幅方向の端部で且つ長手方向の端部の部位）を把持して、長手方向（ハーフカット１００が設けられる方向）に対して傾斜する方向（図８（ａ）のＣ矢印の方向）に引っ張ることで、長手方向の端部に設けられる切欠部１０３から徐々に分断できる。
【特許文献１】実開平７−３９４７５号公報
【発明の開示】
【発明が解決しようとする課題】
【０００７】
しかしながら、かかる場合、図８（ｂ）に示すように、外シート１０１や内シート（図示しない）、具体的には、外シート１０１及び内シートの長手方向の端部におけるシール部１０４がシート状食品１０５の端部１０６に引っ掛かり、シート状食品１０５の端部１０６を分断することがある。
【０００８】
また、外シート１０１の長手方向の端部におけるシール部１０４がシート状食品１０５の端部１０６に引っ掛かるのを防止するため、幅方向の両端部を把持して、全体を均等に幅方向（図８（ａ）のＤ矢印の方向）に引っ張るようにして分断することも考えられる。
【０００９】
しかしながら、かかる方法で分断するには、非常に強い力で引っ張る必要があるため、スムーズに外シート１０１を分断することができず、たとえ外シート１０１を分断できたとしても、図８（ｃ）に示すように、殆どの場合、幅方向の中央部１０７でシート状食品１０５を分断することになる。
【００１０】
よって、本発明は、かかる事情に鑑み、外シートを分割するのに伴ってシート状食品が分断されるのを防止し、さらに、外シートを所望の部位で分断できる米飯加工食品用包装材及び米飯加工食品包装体を提供することを課題とする。
【課題を解決するための手段】
【００１１】
本発明にかかる米飯加工食品用包装材は、幅方向に分断可能に形成される外シートと、シート状食品を介して外シートに重ねられ、外シートと同方向に分離可能な内シートとを備え、シート状食品を囲むように外シートと内シートとがシールされる長尺な米飯加工食品用包装材において、外シートは、所定の部位にて分断されるべく、ハーフカットが長手方向に沿って形成され、さらに、ハーフカットの部位が中間部から端部に向けて分断されるべく、分断を開始する分断開始部が長手方向の中間部におけるハーフカットの部位から離間した位置に設けられることを特徴とする。
【００１２】
本発明によれば、外シートには、ハーフカットが長手方向に沿って形成されているため、外シートが所定の部位にて分断される。そして、外シートには、分断を開始する分断開始部が長手方向の中間部におけるハーフカットの部位から離間した位置に設けられているため、ハーフカットの部位が中間部から端部に向けて分断される。したがって、外シート及び内シートがシート状食品に引っ掛かることなくスムーズに幅方向に分離（分割）することができる。
【００１３】
また、本発明に係る米飯加工食品用包装材においては、分断開始部は、ハーフカットの部位に至るまで外シートを分断可能にすべく、外シートに切り込まれて形成されてもよい。
【００１４】
かかる構成によれば、分断開始部が外シートに切り込まれて形成されているため、ハーフカットの部位に至るまで外シートを分断することができる。これにより、ハーフカットが形成される外シートの部位を長手方向の中間部から端部に向けて分断することができる。
【００１５】
また、本発明に係る米飯加工食品用包装材においては、外シートは、ハーフカットが幅方向に二つ並設され、分断開始部は、各ハーフカット間に配置され、各ハーフカットの部位に至るまで外シートを分断可能にすべく、外シートに切り込まれて形成されてもよい。
【００１６】
かかる構成によれば、分断開始部が幅方向に二つ並設される各ハーフカット間に配置され、さらに、外シートに切り込まれて形成されているため、各ハーフカットの部位に至るまで外シートを分断することができる。これにより、ハーフカットが形成される外シートの各部位を長手方向の中間部から端部に向けて分断することができる。
【００１９】
また、本発明に係る米飯加工食品用包装材においては、分断開始部を被覆するように外シートに貼着される被覆部材を備え、被覆部材が外シートから剥離されるのに伴い、外シートを分断開始部から分断するような構成を採用してもよい。
【００２０】
かかる構成によれば、分断開始部を被覆するように外シートに貼着される被覆部材を外シートから剥離するのに伴い、外シートが分断開始部からハーフカットの長手方向の中間部に至るまで分断される。したがって、被覆部材を外シートから剥離する作業と、分断開始部からハーフカットの長手方向の中間部に至るまで外シートを分断する作業とを同一の作業又は連続した作業で行うことができる。
【００２１】
また、本発明に係る米飯加工食品用包装材においては、分断開始部を被覆するように外シートに貼着される被覆部材を備え、被覆部材は、分断される外シートの各部位に跨って配置されてもよい。
【００２２】
かかる構成によれば、分断開始部を被覆するように外シートに貼着される被覆部材が、分断される外シートの各部位に跨って配置されているため、被覆部材が外シートに貼着される状態にて、外シートの各部位が分断するのを防止できる。
【００２３】
また、本発明にかかる米飯加工食品包装体は、上記米飯加工食品用包装材が米飯加工食品を挟むように内シートを内側にして長手方向に二つ折りされ、米飯加工食品を包装すべく、米飯加工食品を囲むようにシールされることを特徴とする。
【００２４】
かかる構成によれば、ハーフカットが形成される外シートの部位を、長手方向の中間部から端部に向けて分断することにより、外シートを分割できる。そして、内シートと外シートとを幅方向に分離（分割）することにより、シート状食品に包まれた米飯加工食品を得ることができる。
【発明の効果】
【００２５】
本発明の米飯加工食品用包装材及び米飯加工食品包装体によれば、外シートにおけるハーフカットの部位が中間部から端部に向けて分断されるため、外シート及び内シートがシート状食品に引っ掛かることなくスムーズに幅方向に分離（分割）することができ、その結果、外シートを分割するのに伴ってシート状食品が分断されるのを防止し、さらに、外シートを所望の部位で分断できるという優れた効果を奏する。
【発明を実施するための最良の形態】
【００２６】
以下、本発明に係る米飯加工食品用包装材及び米飯加工食品包装体における第１実施形態について、図１〜図４を参酌して説明する。
【００２７】
図１に示すように、本実施形態に係る米飯加工食品用包装材（以下、単に「包装材」ともいう）１は、長尺に形成される。具体的には、包装材１は、幅方向に分断可能に形成される外シート２と、シート状食品３を介して外シート２に重ねられ、外シート２と同方向に分離可能な内シート４とを備え、シート状食品３を囲むように外シート２と内シート４とがシールされる。また、包装材１は、外シート２に貼着される被覆部材５を備える。
【００２８】
外シート２は、所定の部位にて分断されるべく、ハーフカット６が長手方向に沿って形成され、さらに、ハーフカット６の部位が中間部から端部に向けて分断されるべく、分断を開始する分断開始部７が長手方向の中間部に設けられる。
【００２９】
ハーフカット６は、図２に示すように、外シート２の長手方向の全長に亘り連続して溝状に形成される。また、ハーフカット６は、深さの浅い厚肉部８と深さの深い薄肉部９とが交互に連続するように構成される。
【００３０】
したがって、一部の薄肉部９が外部からの衝撃等によって分断したとしても、厚肉部８がそれ以上の分断の広がりを規制できる。また、ハーフカット６は、外シート２の内側及び外側の少なくとも何れか一方に設けられる。
【００３１】
図１に戻り、分断開始部７は、ハーフカット６の部位に至るまで外シート２を分断可能にすべく、外シート２に切り込まれて形成される。具体的には、分断開始部７は、外シート２の長手方向の中間部で且つ幅方向の中間部に、ハーフカット６と離間して配置される。
【００３２】
また、分断開始部７は、舌状の部位（以下、「舌状部」という）１０を形成するようにして、外シート２に切り込まれる。具体的には、分断開始部７は、ハーフカット６に向けて幅が広がるように、略Ｃ字状（又は略Ｖ字状、或いは略Ｕ字状）に形成される。
【００３３】
内シート４は、矩形状のシート体（フィルム）であり、幅方向に分離可能とすべく分離手段１１を備える。具体的には、内シート４は、幅方向の中間部に、長手方向に沿って形成されるハーフカット１１を備える。
【００３４】
被覆部材５は、幅方向に沿って長尺に形成される。そして、被覆部材５は、分断開始部７によりシート状食品３が外気と通じるのを防止すべく、分断開始部７を被覆するように外シート２に貼着される。なお、被覆部材５は、表面に商品の情報が表示されるラベルを採用している。
【００３５】
また、被覆部材５が外シート２から剥離されるのに伴い、外シート２が分断開始部７からハーフカット６の中間部に至るまで分断されるように構成される。具体的には、被覆部材５が外シート２から剥離される際に、被覆部材５が分断開始部７により形成される外シート２の舌状部１０との接着を維持することにより、外シート２が分断される。
【００３６】
そして、被覆部材５は、ハーフカット６により分断される外シート２の各部位に跨って配置される。具体的には、被覆部材５は、ハーフカット６の一部を覆うようにして外シート２に配置される。また、被覆部材５は、外シート２に貼着されていない摘み片１２を端部に備える。
【００３７】
本実施形態に係る米飯加工食品用包装材１の構成は以上の通りであり、次に、本実施形態に係る米飯加工食品包装体の製造方法（米飯加工食品用包装材１にて米飯加工食品を包装する手順）、及びその米飯加工食品包装体の開封手順について説明する。
【００３８】
まず、米飯加工食品包装体を製造するには、図３（ａ）に示すように、包装材１の内シート４上に、米飯加工食品１３を倒した状態で載置する。次に、図３（ｂ）に示すように、包装材１が米飯加工食品１３を挟むように内シート４を内側にして、包装材１を長手方向の中央部で二つ折りする。このとき、米飯加工食品１３の底部１４の位置に、外シート２の分断開始部７と被覆部材５とが配置されている。
【００３９】
そして、包装材１における幅方向の両端部を内側（図３（ｂ）のＡ矢印方向）に折り重ねて、図３（ｃ）に示すように、重なる部位１５をシールする。さらに、図３（ｄ）に示すように、包装材１の長手方向の両端部同士が重なる部位１６と、米飯加工食品１３の底部１４の両側に配置される三角形状の部位１７，１７とをシールする。
【００４０】
以上のように、本実施形態にかかる米飯加工食品包装体（以下、単に「包装体」ともいう）は、包装材１が米飯加工食品Ｙを挟むように内シート４を内側にして長手方向に二つ折りされ、米飯加工食品１３を包装すべく、米飯加工食品１３を囲うようにシールされている。
【００４１】
次に、かかる包装体を開封するには、図４（ａ）に示すように、被覆部材５の端部に設けられる摘み片１２を把持して、外シート２に貼着されている被覆部材５を外シート２から剥離する。このとき、被覆部材５が分断開始部７により形成される舌状部１０との接着状態を維持するため、分断開始部７の切り込みを延長するようにして、ハーフカット６に向けて外シート２が分断される。
【００４２】
そして、ハーフカット６の一部を被覆する被覆部材５を、ハーフカット６の位置まで外シート２から剥離すると、外シート２が分断開始部７からハーフカット６の中間部に至るまで分断される。なお、被覆部材５を完全に外シート２から剥離してもよく、一部が貼着された状態でもよい。
【００４３】
そして、図４（ｂ）に示すように、包装体１の底部の両端部を把持して、幅方向（図４（ｂ）におけるＢ矢印方向）に引っ張ると、ハーフカット６が形成される外シート２の部位が中間部から端部に向けて分断される。
【００４４】
このとき、内シート４のハーフカット１１も併せて分断される。そして、外シート２及び内シート４の各ハーフカット６，１１が全長に亘って分断されることにより、外シート２を幅方向に分割し且つ内シート４も幅方向に分離することができる。
【００４５】
以上より、本実施形態に係る米飯加工食品用包装材１は、外シート２に、ハーフカット６が長手方向に沿って形成されているため、外シート２がハーフカット６の部位にて分断され、その結果、外シート２を所望の部位で分断できる。
【００４６】
さらに、外シート２に、分断を開始する分断開始部７が長手方向の中間部に設けられているため、ハーフカット６の部位が中間部から端部に向けて分断される。したがって、外シート２及び内シート４がシート状食品３に引っ掛かることなくスムーズに幅方向に分離（分割）することができ、その結果、外シート２を分割するのに伴ってシート状食品３が分断されるのを防止できる。
【００４７】
また、本実施形態に係る米飯加工食品用包装材１は、分断開始部７が外シート２に切り込まれて形成されているため、ハーフカット６の部位に至るまで外シート２を分断することができ、その結果、ハーフカット６が形成される外シート２の部位を長手方向の中間部から端部に向けて分断することができる。
【００４８】
また、本実施形態に係る米飯加工食品用包装材１は、分断開始部７を被覆するように外シート２に貼着される被覆部材５を外シート２から剥離するのに伴い、外シート２が分断開始部７からハーフカット６の長手方向の中間部に至るまで分断される。したがって、被覆部材５を外シート２から剥離する作業と、分断開始部７からハーフカット６の長手方向の中間部に至るまで外シート２を分断する作業とを同一の作業又は連続した作業で行うことができる。
【００４９】
また、本実施形態に係る米飯加工食品用包装材１は、分断開始部７を被覆するように外シート２に貼着される被覆部材５が、分断される外シート２の各部位に跨って配置されているため、被覆部材５が外シート２に貼着される状態にて、外シート２の各部位が分断する、即ち、ハーフカット６が形成される外シート２の部位が自然と（不要に）分断するのを防止できる。
【００５０】
次に、本発明に係る米飯加工食品用包装材及び米飯加工食品包装体における第２実施形態について図５及び図６を参酌して説明する。なお、図５及び図６において、図１〜図４の符号と同一の符号を付した部分は、第１実施形態と同一の構成又は要素を表す。
【００５１】
図５に示すように、本実施形態に係る包装材２０は、長尺に形成される。そして、包装材２０は、幅方向に分断可能に形成される外シート２１と、シート状食品３を介して外シート２１に重ねられ、外シート２１と同方向に分離可能な内シート４とを備え、シート状食品３を囲むように外シート２１と内シート４とがシールされる。また、包装材２０は、外シート２１に貼着される被覆部材２２を備える。
【００５２】
外シート２１は、所定の部位にて分断されるべく、ハーフカット２３が長手方向に沿って形成され、さらに、ハーフカット２３の部位が中間部から端部に向けて分断されるべく、分断を開始する分断開始部２４が長手方向の中間部に設けられる。
【００５３】
具体的には、外シート２１は、ハーフカット２３，２３が幅方向に二つ並設され、分断開始部２４は、各ハーフカット２３間に配置され、各ハーフカット２３の部位に至るまで外シート２１を分断可能にすべく、外シート２１に切り込まれて形成される。
【００５４】
分断開始部２４は、ハーフカット２３，２３と離間して配置され、舌状の部位（以下、「舌状部」という）２５を形成するようにして外シート２１に切り込まれる。具体的には、分断開始部２４は、長手方向の一方側に配置され、長手方向の他方側に向けて拡幅するように、略Ｖ字状（又は略Ｃ字状、或いは略Ｕ字状）に形成される。
【００５５】
被覆部材２２は、矩形状に形成され、分断開始部２４によりシート状食品３が外気と通じるのを防止すべく、分断開始部２４を被覆するように外シート２１に貼着される。なお、被覆部材２２は、表面に商品の情報が表示されるラベルを採用している。
【００５６】
また、被覆部材２２が外シート２１から剥離されるのに伴い、外シート２１を分断開始部２４から分断するように構成される。具体的には、被覆部材２２が外シート２１から剥離される際に、被覆部材２２が外シート２１の舌状部２５との接着を維持することにより、外シート２１が分断される。
【００５７】
そして、被覆部材２２は、外シート２１に貼着されていない摘み片２６を一方側の端部に備える。また、被覆部材２２は、各ハーフカット２３の位置又は各ハーフカット２３の近傍位置に沿って容易に分断可能とすべく、切り込み状の分断補助手段２７を摘み片２６の部位に備える。
【００５８】
また、被覆部材２４は、各ハーフカット２３，２３の部位で分断される外シート２１の各部位（三つの部位）に跨って配置される。具体的には、被覆部材２４は、各ハーフカット２３の一部を覆うようにして外シート２１に配置されている。
【００５９】
なお、本実施形態にかかる包装体は、上記の第１実施形態と同様（図３参照）に、包装材２０が米飯加工食品１３を挟むように内シート４を内側にして長手方向に二つ折りされ、米飯加工食品１３を包装すべく、米飯加工食品１３を囲うようにシールされる。
【００６０】
本実施形態にかかる米飯加工食品用包装材２０及び米飯加工食品包装体の構成は以上であり、次に、本実施形態にかかる米飯加工食品包装体の開封手順について説明する。
【００６１】
まず、図６（ａ）に示すように、被覆部材２２の端部に設けられる摘み片２６を把持して、分断補助手段２７から被覆部材２２を分断することにより、被覆部材２２の中央の部位が外シート２１から剥離する。
【００６２】
このとき、外シート２１から剥離される被覆部材２２の中央の部位に、分断開始部２４により形成される外シート２１の舌状部２５が接着し続けているため、分断開始部２４の切り込みの端部から切り込みを延長するようにして外シート２１が分断される。
【００６３】
そして、被覆部材２２を分断し続けると、各ハーフカット２３に至るまで外シート２１が分断され、各ハーフカット２３に至った後は、外シート２１が各ハーフカット２３に沿って分断される。さらに、被覆部材２２の分断が終了した後も、摘み片２６を把持して引っ張り続けることにより、外シート２１が各ハーフカット２３に沿って他方側の端部に向けて分断される。
【００６４】
そして、図６（ｂ）に示すように、まだ分断されていないハーフカット２３，２３の一方側の端部をさらに分断し、各ハーフカット２３により包装材２０の全長に亘って分断された外シート２１を内シート４と共に幅方向に分離する。
【００６５】
なお、かかる場合、各ハーフカット２３が包装材２０の一方側の端部が分断されていない状態でも、包装材２０の中間部及び他端側が十分に分断されているため、内シート４や外シート２１がシート状食品３に引っ掛かることなく、外シート２１を内シート４と共に幅方向から分離する（取り除く）ことも可能である。
【００６６】
以上より、本実施形態にかかる米飯加工食品用包装材２０は、外シート２１に、ハーフカット２３が長手方向に沿って形成されているため、外シート２１が各ハーフカット２３の部位にて分断され、その結果、外シート２１を所望の部位で分断できる。
【００６７】
さらに、外シート２１に、分断を開始する分断開始部２４が長手方向の中間部に設けられているため、ハーフカット２３の部位が中間部から端部に向けて分断される。したがって、外シート２１及び内シート４がシート状食品３に引っ掛かることなくスムーズに幅方向に分離（分割）することができ、その結果、外シート２１を分割するのに伴ってシート状食品３が分断されるのを防止できる。
【００６８】
また、本実施形態にかかる米飯加工食品用包装材２０においては、分断開始部２４が幅方向に二つ並設される各ハーフカット２３間に配置され、さらに、外シート２１に切り込まれて形成されているため、各ハーフカット２３の部位に至るまで外シート２１を分断することができる。これにより、ハーフカット２３が形成される外シート２１の各部位を長手方向の中間部から端部に向けて分断することができる。
【００６９】
なお、本発明の米飯加工食品用包装材及び米飯加工食品包装体は、上記した実施の形態に限定されるものではなく、本発明の要旨を逸脱しない範囲内において種々変更を加え得ることは勿論である。
【００７０】
例えば、上記実施形態に係る米飯加工食品用包装材１，２０においては、分断開始部７，２４がハーフカット６，２３に離間するようにして外シート２，２１に切り込まれて形成される場合を説明したが、かかる場合に限られず、図７に示すように、分断開始部３０，３１，３２は、ハーフカット３３，３４，３５の部位と交差するように外シート３６，３７，３８に切り込まれて形成される場合でもよい。
【００７１】
例えば、図７（ａ）に示すように、外シート３６には、端部がハーフカット３３と交差するように切り込まれて形成される分断開始部３０を備える場合でもよく、図７（ｂ）に示すように、外シート３７には、ハーフカット３４と交差する切欠状（開口状）に切り込まれて形成される分断開始部３１を備える場合でもよく、図７（ｃ）に示すように、外シート３８には、ハーフカット３５の中間部の一部を分断するように切り込まれて形成される分断開始部３２を備える場合でもよい。
【００７２】
なお、かかる構成によれば、分断開始部３０，３１，３２と交差する位置（長手方向の中間部）から長手方向の端部に向けてハーフカット３３，３４，３５を分断できるため、各分断開始部３０，３１，３２を被覆するように被覆部材（図示しない）を外シート３６，３７，３８に貼着する場合、外シート３６，３７，３８から被覆部材を剥離する際に、分断開始部３０，３１，３２から外シート３６，３７，３８を分断させる必要はない。
【００７３】
また、上記実施形態に係る米飯加工食品用包装材１，２０においては、内シート４がハーフカットからなる分断手段１１を備える場合を説明したが、かかる場合に限られず、内シートは、二枚のシート片の端部同士を重ねて構成される場合でもよく、ミシン目からなる分断手段を備える場合でもよい。要するに、内シートは、幅方向に分離可能に構成されていればよい。
【００７４】
また、上記実施形態に係る米飯加工食品用包装材１，２０においては、ハーフカット６，２３が長手方向の全長に亘って連続して設けられる場合を説明したが、かかる場合に限られず、例えば、ハーフカットが長手方向の端部に至るまで設けられていなくてもよく、また、ハーフカットが断続的に設けられていてもよい。要するに、内シート及び外シートを幅方向から分離し（取り除い）ても、内シートや外シートがシート状食品に引っ掛かることがない程度に分断可能なハーフカットが設けられていればよい。
【００７５】
また、上記第２実施形態に係る米飯加工食品用包装材２０においては、分断補助手段２７が切り込み状に形成される場合を説明したが、かかる場合に限られず、分断補助手段２７は、多数の小さな貫通孔を帯状に配設される場合でもよく、複数の切込を並設させる場合でもよい。要するに、分断補助手段２７は、他の部分よりも分断強度が弱くなるように構成され、ハーフカット２３に沿って分断可能に構成されていればよい。
【図面の簡単な説明】
【００７６】
【図１】本発明の一実施形態に係る米飯加工食品用包装材の全体図であって、分解斜視図を示す。
【図２】同実施形態に係る米飯加工食品用包装材の部分拡大図であって、ハーフカットに沿った断面図を示す。
【図３】同実施形態に係る米飯加工食品用包装体の全体図であって、（ａ）〜（ｄ）は米飯加工食品の包装手順を説明する斜視図を示す。
【図４】同実施形態に係る米飯加工食品包装体の全体図であって、（ａ）及び（ｂ）は開封手順を説明する斜視図を示す。
【図５】本発明の他の実施形態に係る米飯加工食品用包装材の全体図であって、分解斜視図を示す。
【図６】同実施形態に係る米飯加工食品包装体の全体図であって、（ａ）及び（ｂ）は開封手順を説明する斜視図を示す。
【図７】本発明のさらに他の実施形態に係る米飯加工食品用包装材の全体図であって、それぞれ斜視図示す。
【図８】従来における米飯加工食品包装体の全体斜視図をそれぞれ示す。
【符号の説明】
【００７７】
１…包装体、２…外シート、３…シート状食品、４…内シート、５…被覆部材、６…ハーフカット、７…分断開始部、１３…米飯加工食品
【図１】
0005303179.tif 000002
【図２】
0005303179.tif 000003
【図３】
0005303179.tif 000004
【図４】
0005303179.tif 000005
【図５】
0005303179.tif 000006
【図６】
0005303179.tif 000007
【図７】
0005303179.tif 000008
【図８】
0005303179.tif 000009